(57)【特許請求の範囲】
【請求項１】
液体の排出口に接続するノズル管、および  液垂れした液体を受容れる容器を含んでなり、
該容器はノズル管の外側面から延びるアームによって懸垂され、ノズル管の先端開口の下方に配置され、ノズル管の先端開口から液垂れした液体を受容れ得るようになっており、
容器を押すとアームが曲がってノズル管の先端開口の下方から容器が外れ、容器を押すのを止めるとアームが元の形に戻りノズル管の先端開口の下方に容器が配置されるようになっており、
アームが弾性を有する材料で形成されており、
アームが曲がってノズル管の先端開口の下方から容器が外れたときに、ノズル管の先端開口がアーム中央に穿った孔に差し込まれる、液体の排出口に接続して使用する液垂れ防止機能を有するノズル。
【発明の詳細な説明】
【技術分野】
【０００１】
本発明は、液垂れ防止機能付きノズルに関する。さらに詳細には、液垂れが防止され、床等を汚すことがなく、また試料をサンプリングする際の作業労力を軽減することができる、安価な液垂れ防止機能付きノズルに関する。
【背景技術】
【０００２】
化学品等の製造工場等においては、製品の品質管理のためにタンクなどの塔槽類または配管内の原材料、中間製品、最終製品の組成分析などが定期的に行われている。
サンプリングは、人手によって行われることが多い。このため、サンプリング容器の設置、弁の開閉など、作業者の負担が大きい。また、弁は排出口よりも奥にある場合が多いので、弁を閉めても排出口に液体が溜まり、それが床等に垂れることが多い。サンプリングする液体が酸化性液体などの場合は床を腐食するなどの問題を生じさせる。また、作業者が床に零れた液体で足を滑らせるなどの労働安全上の問題を生じさせるおそれもある。
液垂れ防止機構に関しては、特許文献１や特許文献２等に示されるように、排出口の構造に工夫を凝らしたものがいくつか提案されている。しかし、これら液垂れ防止機構は構造が複雑であり、設備費が高くなることが多い。
【特許文献１】特開平６−１３５４１７号公報
【特許文献２】特開平９−８９９０１号公報
【発明の開示】
【発明が解決しようとする課題】
【０００３】
本発明の目的は、液垂れが防止され、床等を汚すことがなく、また試料をサンプリングする際の作業労力を軽減することができる、安価な液垂れ防止機能付きノズルを提供することにある。
【課題を解決するための手段】
【０００４】
本発明者は、前記目的を達成するために鋭意検討した結果、液体の排出口に接続するノズル管、および  液垂れした液体を受容れる容器を含んでなり、該容器がノズル管の外側面から延びるアームによって懸垂され、ノズル管の先端開口の下方に配置され、ノズル管の先端開口から液垂れした液体を受容れ得るようになっており、容器を押すとアームが曲がってノズル管の先端開口の下方から容器が外れ、容器を押すのを止めるとアームが元の形に戻りノズル管の先端開口の下方に容器が配置されるようになる単純な構造のノズルを、液体の排出口に接続したところ、液垂れが防止され、床等を汚すことがなく、また試料をサンプリングする際の作業労力を軽減することができることを見出した。本発明はこの知見に基づいてさらに検討した結果完成したものである。
【０００５】
すなわち、本発明は、  液体の排出口に接続するノズル管、および  液垂れした液体を受容れる容器を含んでなり、
該容器はノズル管の外側面から延びるアームによって懸垂され、ノズル管の先端開口の下方に配置され、ノズル管の先端開口から液垂れした液体を受容れ得るようになっており、
容器を押すとアームが曲がってノズル管の先端開口の下方から容器が外れ、容器を押すのを止めるとアームが元の形に戻りノズル管の先端開口の下方に容器が配置されるようになる、液体の排出口に接続して使用する液垂れ防止機能を有するノズル、である。
【発明の効果】
【０００６】
本発明の液垂れ防止機能付きノズルは、単純な構造であるので安価に製造することができる。そして本発明の液垂れ防止機能付きノズルによれば、液垂れが防止され、床等を汚すことがなく、また試料をサンプリングする際の作業労力を軽減することができる。
【発明を実施するための最良の形態】
【０００７】
本発明の液垂れ防止機能付きノズルを、図面を参照しながら説明する。なお、本発明は図面に示したものに限定されない。
図１（Ａ１）は本発明の液垂れ防止機能付きノズルを斜めから観察した図である。図１（Ｂ１）は本発明の液垂れ防止機能付きノズルをアームの正面から観察した図である。図２（Ａ２）はアームが曲がり容器がノズル管の先端開口から外れた状態における、本発明の液垂れ防止機能付きノズルを斜めから観察した図である。図２（Ｂ２）はアームが曲がり容器がノズル管の先端開口から外れた状態における、本発明の液垂れ防止機能付きノズルをアームの正面から観察した図である。
【０００８】
本発明の液垂れ防止機能付きノズルは、液体の排出口に接続するノズル管２、および  液垂れした液体を受容れる容器４を含んでなるものである。
本発明における、液体の排出口は、タンクなどの塔槽類に設けられた弁付きノズル、配管の途中に枝分けして設けられた弁付きノズルなどを含む。これら弁付きノズルは、通常、弁を閉めているが、塔槽類や配管内の液体をサンプリングして分析したいときなどに一時的に弁を開けるものである。
【０００９】
ノズル管２は、前記液体の排出口に接続される。ノズル管２は、排出口の形状に応じて適当な形状のものが選択でき、例えば、真直ぐな管であってもよいし、曲がった管であってもよい。ノズル管の太さは、排出口の大きさに応じて適宜選択できる。ノズル管の材質は、特に制限されないが、排出口から排出される液体の性質に応じて、樹脂材料や金属材料などの中から適宜選択される。ノズル管の排出口接続部６の構造は液体の排出口の構造に対応する構造をしている。例えば、液体排出口がホース口になっている場合は接続部６は該ホース口に差し込める程度の太さのチューブ状になっているものにすることができ、液体の排出口にフランジが設けられている場合は接続部６はフランジが設けられたものにすることができ、液体の排出口に螺が設けられている場合には接続部６はホースニップルやブレードロックなどを設けたものにすることができる。
【００１０】
容器４は、ノズル管の外側面から延びるアーム３によって懸垂されている。図１に示される液垂れ防止機能付きノズルでは、一本のアーム３が容器４の一端に延び容器を支持し懸垂している。そして、容器４は、ノズル管の先端開口５の下方に配置され、ノズル管の先端開口から液垂れした液体を受容れ得るようになっている。容器４の大きさは弁を閉じたときに排出口に溜まる液体の量に応じて適宜選択できる。
容器４をアーム正面方向から押すとアームが曲がってノズル管の先端開口の下方から容器が外れる（図２）。そして、容器を押すのを止めるとアームが元の形に戻りノズル管の先端開口の下方に容器が配置されるようになる（図１）。
【００１１】
例えば、サンプル採取用容器で容器４を押すと、容器４がノズル管先端開口の下方から外れ、代わりにサンプル採取用容器がノズル管先端開口の下方に配される。排出口の弁を開いて液体サンプルをサンプル採取用容器に受容れる。サンプリング終了後、弁を閉じて、サンプル採取用容器をノズル管先端開口の下方から取り除くと、容器４がアームの弾性力によってノズル管の先端開口の下方に戻り、排出口に溜まった液体が液垂れしても容器４で受容れ得るようになり、床等への液垂れが防止される。容器４で受容れた液体は適宜廃棄することができる。
【００１２】
本発明においては、アームが弾性を有する材料で形成されていることが好ましい。弾性を有する材料は、特に制限されず、樹脂材料や金属材料の中から適宜選択できる。また、アームが曲がってノズル管の先端開口の下方から容器が外れたときに、ノズル管の先端開口がアーム中央に穿った孔に差し込まれるものが好ましい(図２)。
【図面の簡単な説明】
【００１３】
【図１】本発明の液垂れ防止機能付きノズルの一実施態様例を示す概念図
【図２】図１に示した液垂れ防止機能付きノズルの容器を押したときの形態を示す概念図
【符号の説明】
【００１４】
２：ノズル管
３：アーム
４：容器
５：ノズル管の先端開口
６：ノズル管の排出口接続部
【図１】
0005001087.tif 000002
【図２】
0005001087.tif 000003